(57)【特許請求の範囲】
【請求項１】
スライド体を装置本体に対しスライドさせて着脱するイジェクト機構であって、
前記スライド体を常に押し出し方向へ付勢する付勢手段と、
前記スライド体に配置され、前記スライド体の押し出し方向と直交する方向に沿うロック部およびこのロック部に連続しかつ前記スライド体の押し出し方向に対し前記ロック部の端部側へ向くような斜状の緩衝部が形成された通路部を備える係合手段と、
前記装置本体に配置され、前記スライド体の押し出し方向と直交する方向に沿ってスライドすることにより前記ロック部に係合して前記スライド体を前記装置本体内に係止させる係止手段と、
前記係止手段を常に前記ロック部の端部側へ付勢する前記付勢手段よりも付勢力が弱い付勢部材とを有し、
前記係止手段が前記ロック部から解除され前記付勢手段により前記スライド体が押し出される際に、前記係止手段が前記ロック部から離脱すると前記緩衝部が形成された前記通路部に直ちに当接することを特徴とするスライド体のイジェクト機構。
【請求項２】
前記係合手段を前記スライド体に形成する溝とすることを特徴とする請求項１に記載のスライド体のイジェクト機構。
【請求項３】
前記通路部を前記緩衝部と前記緩衝部に連続した逃げ部とで構成し、かつジグザグ状に形成することを特徴とする請求項１または２に記載のスライド体のイジェクト機構。
【請求項４】
前記係止手段をロックピンとすることを特徴とする請求項１乃至３のいずれか１項に記載のスライド体のイジェクト機構。
【請求項５】
前記スライド体を複数の記録媒体を収納するマガジンとすることを特徴とする請求項１乃至４のいずれか１項に記載のスライド体のイジェクト機構。
【発明の詳細な説明】
【０００１】
【発明の属する技術分野】
この発明は、例えば複数枚のコンパクトディスクを収納するマガジンを装置本体に対しスライドさせて着脱するイジェクト機構に関する。
【０００２】
【従来の技術】
自動車に搭載するオーディオとしては、複数枚のコンパクトディスク（以下、「ＣＤ」という）を収納し任意に選択されるＣＤを再生するオートチェンジャ等がある。このオートチェンジャには、装置本体に複数枚のＣＤを収納するマガジンがスライド可能に配置されている。そして、ＣＤをマガジンに収納（入れ換え等を含む）する場合には、装置本体に対しマガジンをスライドさせて着脱することによって行う。
【０００３】
即ち、オートチェンジャには、マガジンをイジェクトするためのイジェクト機構が配置されている。このイジェクト機構を備えるオートチェンジャとしては、図３に示すようなものがある。
【０００４】
以下、イジェクト機構に関する構成を、図３に基づいて具体的に説明する。なお、図３は従来例に係るオートチェンジャの概略を示す全体斜視図、図４は図３に示すオートチェンジャの装填部の断面図である。また、図中矢印Ｂは後側を、矢印Ｒは右側を、矢印ＵＰは上側を示す。
【０００５】
オートチェンジャの装置本体５０には、複数枚（本例では１０枚）のＣＤ１０を収納するマガジン５４を装填する装填部６０及びＣＤ１０をチャッキングして再生する再生部６２を備える。なお、オートチェンジャには、マガジン５４内のＣＤ１０を再生部６０に搬送する図示しない搬送機構が配置されいる。なお、マガジン５４は、ＣＤ１０を上下方向に１０枚重なるようにして収納する構成となっている。
【０００６】
イジェクト機構は、装置本体５０とマガジン５４とに配置されており、マガジン５４を装置本体５０にロックするロック手段と，マガジン５４のスライドをガイドするガイド手段と，マガジン５４を装置本体５０から外側へ付勢する付勢手段とを備える。
【０００７】
ロック手段は、マガジン５４の裏面に形成された略Ｌ字状の係止溝５６（図５参照）と，この係止溝５６に対向して装置本体５０に配置される平面形状が略直角三角形状のロックピン６６を備えるロックプレバー６８（図４参照）とで構成されている。図５に示すように、係止溝５６は、マガジン５４のスライド方向即ち前後方向に沿う直線状の通路部５６Ａと，この通路部５６Ａ前端に連続しかつ直交する右方向へ向かう係止部５６Ｂとを備える。
【０００８】
なお、図４に示すように、ロックレバー６８は装置本体５０のベース５１の下部に位置していると共に、このベース５１にはロックピン６６をベースの上方へ突出させかつ左右方向にスライドさせるガイド孔５１Ａ（図３参照）が形成されている。そして、ロックピン６６は、ガイド孔５１Ａの範囲に亘ってスライドする。
【０００９】
さらに、装置本体５０には、ロックレバー６８を常に右側へ付勢する付勢部材としてのスプリング６９が配置されている。このスプリング６９の左端はロックレバー６８に引っ掛けられており、スプリング６９の右端はベース５１の図示しない引掛部に引っ掛けられている。そのため、ロックピン６６が係止部５６Ｂに係止される状態で保持されるので、マガジン５４は装填部６０に位置決めされる。
【００１０】
ベース５１とロックレバー６０との間には、ロックレバー６８（ロックピン６６）を左側へスライドさせる平面形状が略Ｌ字状のスライドレバー７０（図５参照）が配置されている。また、スライドレバー７０は、図示しないイジェクトスイッチが操作されると操作手段（図示省略）を介してスライドする。なお、左側へスライドしたスライドレバー７０は、ロックレバー６８がスプリング６９の付勢力により図３に示す初期位置に移行することにより連動して右側へスライドする。
【００１１】
図３に示すように、ガイド手段はマガジン５４の裏面に形成された前後方向に沿う直線状のガイド溝５８と，このガイド溝５８に対向してベース５１上に配置される円柱状のガイドピン７２とで構成されている。なお、ガイドピン７２は所定間隔をもって複数個（図３の例では３個）配置されている。
【００１２】
図４に示すように、装置本体５０には付勢手段の一部を構成する略Ｌ字状の連結部材７４がマガジン５４の上面５４Ａ及び裏面５４Ｂに対応して配置されており、この連結部材７４はマガジン５４の左右方向の略中間に対し接離可能となっている（図３参照）。図３に示すように、連結部材７４には、ガイド片７６が前後方向に沿う直線上に一対配置されている。装置本体５０の天板５２には、ガイド片７６に対応する部位に前後方向に沿う直線状のガイド孔５２Ａが所定距離の範囲に亘り一対形成されている。
【００１３】
また、天板５２にはガイド孔５２Ａの左右両側に前後方向に沿う直線状の長孔５２Ｂが一対形成されており、長孔５２Ｂは一対のガイド孔５２Ａの端部間を結ぶような長さとなっている。さらに、天板５２には長孔５２Ｂに向く引掛部５３がそれぞれ形成されており、引掛部５３に対向する連結部材７４には長孔５２Ｂに向く引掛部７８がそれぞれ形成されている。
【００１４】
引掛部５３及び７８に付勢手段の一部を構成するコイル状のスプリング８０が引掛けられており、そのためマガジン５４はスプリング８０の付勢力により常に前方向へ付勢されている。なお、スプリング８０はマガジン５４に１０枚のＣＤ１０が収納された場合でも、マガジン５４が装填部６０から押し出すことができるような付勢力が発生するように設定されている。即ち、ロックピン６６が係止溝５６Ｂから離間すると直ちにマガジン５４がスプリング８０の付勢力により引き出される。
【００１５】
マガジン５４を装置本体５０の装填部６０に挿入すると、マガジン５４の裏面５４Ｂ及び上面５４Ａが連結部材７４に当接し連結部材７４をスプリング８０の付勢力に抗して押し下げる。そして、図５（Ａ）に示すように、ロックピン６６は、通路部５６Ａを経て係止部５６Ｂに挿入され係止される。
【００１６】
即ち、図４に示すロックレバー６８はスプリング６９によって右側へ付勢されているので、ロックピン６６は係止溝５６に位置決めされる。そのため、マガジン５４は、スプリング８０の付勢力に抗して装填部６０に位置決めされる。
【００１７】
なお、装填部６０に装填されたマガジン５４内のＣＤ１０は、図示しない搬送手段によって再生部６２に搬送されかつチャッキングされる。そして、このチャッキングされたＣＤ１０は、図示しないピックアップ等の再生手段により再生処理される。
【００１８】
一方、マガジン５４を装填部６０から取り出すには、図示しないイジェクトスイッチを操作して図５（Ａ）に示すスライドレバー７０をスライドさせる。図５（Ｂ）に示すように、スライドレバー７０がスライドしてロックピン６６が係止部５６Ｂから離間すると、ロックピン６６が通路部５６Ａに対向し（図５（Ｂ）参照）そのためスプリング８０の付勢力によりマガジン５４はガイドピン７２にガイドされながら装填部６０から引き出される（図５（Ｃ）参照）。
【００１９】
そして、図４に示す連結部材７４は、一対のガイド孔５２Ａの前端部に当接することにより停止する。なお、ロックピン６６はスプリング６９の付勢力によって右側へスライドし図５（Ｃ）に示す初期位置に復帰する。
【００２０】
【発明が解決しようとする課題】
ところで、図５に示すように、通路部５６Ａは前後方向に沿って一直線上に形成されているので、ロックピン６６と係止部５６Ｂとの係止が解除されるとマガジン５４が前後方向に沿ってスライドする（図５（Ｃ）及び（Ｂ）参照）。即ち、図５（Ｂ）に示すように、ロックピン６６が係止部５６Ｂから左側へ飛び出すとそのままマガジン５４のガイド溝５８に沿った位置に保持される。
【００２１】
そのため、ロックピン６６が一直線上の距離Ｌ２に亘り障害なく通り抜けるので、スプリング８０の大きな付勢力がマガジン５４及び連結部材７４に作用する。例えば、マガジン５４に２〜４枚程度のＣＤ１０が収納されている場合にはマガジン５４の重量が１０枚のＣＤ１０のマガジン５４に収納する場合に比べ軽くなるので、その分マガジン５４は大きな付勢力によって押し出される。
【００２２】
即ち、ロックピン６６が係止部５６Ｂから離間すると直ちにスプリング８０の付勢力によってマガジン５４が急激に押し出されるので、ロックピン６６が距離Ｌ２に亘ってフリーになる（即ち、ロックピン６６に対し何も障害がない）と共に、図３に示すスプリング８０の付勢力（即ち、スプリング８０の付勢力に起因する反作用）により装置本体５０に加わる衝撃が強くなる。
【００２３】
従って、従来のオートチェンジャには上記スプリング８０による衝撃を緩和するためのダンパ機構が設けられ、マガジン５４のイジェクト時の衝撃を防止していた。しかし、上記ダンパ機構を設けると、構成が複雑になり高価になる。
【００２４】
そこで、本発明は上記事実を考慮し、マガジンのイジェクト時の衝撃を簡易な構成により抑えるイジェクト機構を提供することにある。
【００２５】
【課題を解決するための手段】
本発明の請求項１に係るスライド体のイジェクト機構は、スライド体を装置本体に対しスライドさせて着脱するイジェクト機構であって、前記スライド体を常に押し出し方向へ付勢する付勢手段と、前記スライド体に配置され、前記スライド体の押し出し方向と直交する方向に沿うロック部およびこのロック部に連続しかつ前記スライド体の押し出し方向に対し前記ロック部の端部側へ向くような斜状の緩衝部が形成された通路部を備える係合手段と、前記装置本体に配置され、前記スライド体の押し出し方向と直交する方向に沿ってスライドすることにより前記ロック部に係合して前記スライド体を前記装置本体内に係止させる係止手段と、前記係止手段を常に前記ロック部の端部側へ付勢する前記付勢手段よりも付勢力が弱い付勢部材とを有し、前記係止手段が前記ロック部から解除され前記付勢手段により前記スライド体が押し出される際に、前記係止手段が前記ロック部から離脱すると前記緩衝部が形成された前記通路部に直ちに当接することを特徴としている。
【００２６】
本発明の請求項１に係るスライド体のイジェクト機構においては、係止手段がロック部から解除されると、付勢手段によりスライド体が押し出される。係止手段がロック部から離脱すると、緩衝部が形成された通路部に直ちに当接する。
【００２７】
本発明の請求項１に係るスライド体のイジェクト機構によれば、係止手段がロック部から離脱すると緩衝部が形成された通路部に直ちに当接するように構成したので、従来の場合に比べ係止手段のフリーとなる距離が短くなり、その分スライド体を付勢する付勢手段の付勢力による衝撃を緩和することができる。
【００２８】
即ち、本発明の請求項１に係るスライド体のイジェクト機構によれば、係合手段の例えば溝形状を変更するのみでスライド体のイジェクト時の衝撃をより効果的に緩衝できるので、従来のようなダンパ機構が不要となりスライド体のイジェクト時の衝撃を簡易な構成により抑えることができる。
【００２９】
本発明の請求項２に係る発明は、請求項１に記載のスライド体のイジェクト機構において、前記係合手段を前記スライド体に形成する溝とすることを特徴としている。
【００３０】
本発明の請求項３に係る発明は、請求項１または２に記載のスライド体のイジェクト機構において、前記通路部を前記緩衝部と前記緩衝部に連続した逃げ部とで構成し、かつジグザグ状に形成することを特徴としている。
【００３１】
本発明の請求項４に係る発明は、請求項１乃至３のいずれか１項に記載のスライド体のイジェクト機構において、前記係止手段をロックピンとすることを特徴としている。
【００３２】
本発明の請求項５に係る発明は、請求項１乃至４のいずれか１項に記載のスライド体のイジェクト機構において、前記スライド体を複数の記録媒体を収納するマガジンとすることを特徴としている。
【００３３】
【発明の実施の形態】
図１及び図２には、本発明の一実施形態に係るマガジンのイジェクト機構が示されている。なお、図１において、図３に対応する部分には同一符号を付してその詳細説明は省略する。
【００３４】
図２に示すように、マガジン５４裏面に形成される係合手段１２は、ロックピン６６に対応して配置されており、マガジン５４の押し出し方向（前後方向）と直交する方向（左右方向）に沿うロック部１４およびこのロック部１４に連続しかつ前後方向に沿うようなジグザグ状の通路部１６を備える。即ち、この係合手段１２は溝形状となっており、そのため係合手段１２にロックピン６６が挿入され係合する。
【００３５】
通路部１６は、ロックピン６６がロック部１４から離脱すると直ちに通路部１６に当接するようにロック部１４の左端部１４Ｂに連続して形成されている。また、通路部１６は、ロック部１４の左端部１４Ｂに、マガジン５４の押し出し方向である前後方向に沿う溝形状を介して連続する後斜め右側へ向かう斜状の緩衝部１８と，この緩衝部１８に連続する後斜め左側へ向かう斜状の逃げ部２０と，この逃げ部２０に連続する斜面２２Ａが形成される出入口２２とで構成されている。
【００３６】
即ち、出入口２２はマガジン５４の端面に切欠されており、そのためロックピン６６は出入口２２から入り逃げ部２０及び緩衝部１８を経てロック部１４に係止される。一方、この係止が解除されると、ロックピン６６は緩衝部１８に当接し緩衝された後逃げ部２０及び出入口２２を経てマガジン５４から離間する。なお、図１及び図２に示すように、本実施形態は上記のように構成されており、その他は図３の例と同様であるので、説明は省略する。
【００３７】
次に、本実施形態に係るイジェクト機構の作用について説明する。まず、マガジン５４を装置本体５０の装填部６０から引き出す場合の作用について説明する。マガジン５４が装填部６０内に係止されている状態では、図２（Ａ）に示すように、ロックピン６６がロック部１４に係止されている。
【００３８】
そして、図示しないイジェクトスイッチが操作され図２（Ｂ）に示すスライドレバー７０が左側へスライドすると、ロックピン６６がロック部１４から離間され、通路部１６に対向しそのため図１に示すスプリング８０の付勢力によりマガジン５４はガイドピン７２にガイドされながら装填部６０から引き出される。
【００３９】
即ち、ロックピン６６が図２（Ｂ）の実線に示すようにロック部１４から離脱すると、緩衝部１８に沿って移行できる位置である図２（Ｂ）の２点鎖線に示す位置に移行して、緩衝部１８の前端１８Ａに当接すると共に、緩衝部１８の斜面１８Ｂを経て緩衝部１８の後端１８Ｃに移行する（図２（Ｂ）の１点鎖線参照）。従って、図２（Ｂ）に示すように、ロックピン６６は、左側から右側へと緩衝部１８に沿ってスライドする。
【００４０】
本実施形態においては、ロックピン６６がロック部１４から離脱すると、図２（Ｂ）の実線に示す位置から緩衝部１８に沿って移行できる位置である図２（Ｂ）の２点鎖線に示す位置に移行して直ちに緩衝部１８の前端１８Ａ及び斜面１８Ｂ（後端１８Ｃを含む）に当接するので、図５に示す従来例のようにロックピン６６が直ちにフリーになる場合に比べスプリング８０の付勢力による衝撃が少なくなる。
【００４１】
即ち、本実施形態においては、スプリング８０の付勢力が最も大きい初期状態（ロックピン６６がロック部１４に係止される状態でのスプリング８０の伸張状態）の段階でロックピン６６をフリーにさせることなく緩衝部１８で緩衝させるので、スプリング８０の付勢力による衝撃がより効果的に抑えられる。
【００４２】
本実施形態によれば、従来の場合に比べロックピン６６のフリーとなる距離Ｌ１（図２（Ｂ）参照）が短くなるので、その分スプリング８０の付勢力による衝撃が少なくなる。従って、本実施形態によれば、係合手段１２の溝形状を変更するのみでマガジン５４のイジェクト時の衝撃をより効果的に緩衝できるので、従来のようなダンパ機構が不要となりマガジン５４のイジェクト時の衝撃を簡易な構成により抑えることができる。
【００４３】
さらに、マガジン５４が装置本体５０から押し出されると、ロックピン６６が逃げ部２０に移行する（図２（Ｃ）の２点鎖線参照）と共に、ロックピン６６の図４に示すスプリング６９の付勢力により出入口２２の斜面２２Ａに移行する（図２（Ｃ）の１点鎖線参照）。なお、ロックピン６６が緩衝部１８の斜面１８Ｂの位置（図２（Ｂ）の１点鎖線に示す位置）から逃げ部２０及び出入口２２へ移行する際は、ロックピン６６は逃げ部２０及び出入口２２に沿って左右に移動する。
【００４４】
そして、図２（Ｃ）の実線に示すようにロックピン６６がマガジン５４の係合手段１２から離間すると共に、マガジン５４が連結部材７４を介して装填部６０から押し出される。また、図１に示すように、連結部材７４は、一対のガイド孔５２Ａの端部に当接することにより停止する。なお、ロックレバー６８は、図４に示すスプリング６９の付勢力によって図２（Ｃ）に示す初期位置に保持される。
【００４５】
次に、マガジン５４を装填部６０に装填する場合の作用について説明する。装填部６０から引き出されたマガジン５４に任意のＣＤ１０を取替えまたは収納する。そして、図１に示すように、マガジン５４を装填部６０に挿入すると、連結部材７４がマガジン５４の上面５４Ａ及び裏面５４Ｂに当接する。さらにスプリング８０の付勢力に抗してマガジン５４を装填部６０に挿入していくと、図２（Ｃ）の１点鎖線に示すようにロックピン６６が対向しているマガジン５４の斜面２２Ａに当接する。
【００４６】
マガジン５４を装填部６０にさらに挿入すると、図２（Ｃ）の２点鎖線に示すようにロックピン６６は図４に示すスプリング６９の付勢力に抗して斜面２２Ａに沿って逃げ部２０に移行する。そして、マガジン５４を装填部６０にさらに挿入していくと、図２（Ｂ）に示すようにロックピン６６は緩衝部１８を経てロック部１４に対向する。すると、ロックピン６６はスプリング６９の付勢力によって右方向へ付勢されロック部１４に移行し係止されるので、マガジン５４はスプリング８０の付勢力に抗して装填部６０に位置決めされる。
【００４７】
なお、上記実施形態では通路部１６に逃げ部２０を設けジグザグ状にした例であるが、本発明の請求項１に係る通路部はロック部端部から連続しマガジンの押し出し方向に対しロック部端部側へ向く（即ち、図２の例では後斜め右側へ向かう）ような斜状に一直線上に形成しても良い。この場合、斜面１８Ｂの傾斜角を図２に示すものと同一にする際にはロックピン６６のスライド量を長くする必要がある。
【００４８】
また、上記実施形態ではロックピン６６を平面形状が略正三角形をなしたものであるが、請求項４のロックピンは例えば円柱形状等としても良い。さらに、上記実施形態では付勢手段として連結部材７４及びスプリング８０を用いた例であるが、本発明では付勢手段の一部を構成するコイル状のスプリングを板バネ等としても良い。同様に、請求項１の付勢部材を板バネ等としても良い。
【００４９】
また、上記実施形態では係合手段１２をマガジン５４に形成した溝とする例であるが、請求項１の係合手段は例えばロック部及び通路部を設けた部材をスライド体に取り付けるように構成しても良い。さらに、上記実施形態では係合手段１２を溝とし係止手段をロックピン６６とした例であるが、本発明の係合手段と係止手段との凹凸関係は本実施形態と逆になるようにしても良い。
【００５０】
また、上記実施形態ではＣＤ１０を再生するオートチェンジャに適用したマガジンのイジェクト機構の例であるが、本発明はミニディスク等を再生するオートチェンジャに適用するマガジンのイジェクト機構にも同様に適用できる。さらに、上記実施形態ではスライド体をマガジン５４とした例であるが、本発明のスライド体は例えば電気掃除機のボックス形状のダスト部等であっても同様に適用できる。
【００５１】
【発明の効果】
以上説明したように本発明によれば、係止手段がロック部から離脱すると緩衝部が形成された通路部に直ちに当接するように構成したので、従来の場合に比べ係止手段のフリーとなる距離が短くなり、その分スライド体を付勢する付勢手段の付勢力による衝撃を緩和することができる。即ち、本発明によれば、係合手段の例えば溝形状を変更するのみでスライド体のイジェクト時の衝撃をより効果的に緩衝できるので、従来のようなダンパ機構が不要となりスライド体のイジェクト時の衝撃を簡易な構成により抑えることができる。
【図面の簡単な説明】
【図１】本発明の一実施形態に係るマガジンのイジェクト機構を備えるＣＤを再生するオートチェンジャの概略した全体斜視図である。
【図２】図１に示すマガジンに形成される係合手段と係止手段との位置関係を説明する図である。
【図３】従来例に係るマガジンのイジェクト機構を備えるＣＤを再生するオートチェンジャの概略した全体斜視図である。
【図４】図３に示す装置本体の装填部の断面図である。
【図５】図３に示すマガジンに形成される係止溝とロックピンとの位置関係を説明する図である。
【符号の説明】
１０            コンパクトディスク（記録媒体）
１２            係合手段
１４            ロック部
１６            通路部
１８            緩衝部
１８Ａ          緩衝部の斜面
２０            逃げ部
５０            装置本体
５４            マガジン
６０            装填部
６６            ロックピン
６９            スプリング（付勢部材）
７４            連結部材（付勢手段）
８０            スプリング（付勢手段）
【図１】
0004006867.tif 000002
【図２】
0004006867.tif 000003
【図３】
0004006867.tif 000004
【図４】
0004006867.tif 000005
【図５】
0004006867.tif 000006